(57)【要約】【課題】電子装置の電力削減を実現しつつ、利用者の利便性の低下を抑制することができる電子装置を提供する。【解決手段】第１モードと、第１モードよりも電力消費量の少ない第２モードとで動作する制御ユニット１００であって、発光部２１０の点滅を制御する演算処理部１１０と、動作モードが第１モードから第２モードに移行して、演算処理部１１０への電力供給が抑えられた省電力状態に移行した後、発光部２１０の点滅を制御する駆動制御回路１２０とを備える。【選択図】図１
2015080928.tif 000002
【特許請求の範囲】
【請求項１】
第１モードと、前記第１モードよりも電力消費量の少ない第２モードとで動作する電子装置であって、
発光部の点滅を制御する演算処理部と、
動作モードが前記第１モードから前記第２モードに移行して、前記演算処理部への電力供給が抑えられた省電力状態に移行した後、前記発光部の点滅を制御する駆動制御回路と、
を備えることを特徴とする電子装置。
【請求項２】
前記動作モードが前記第１モードである場合、前記演算処理部が前記駆動制御回路を制御して、前記発光部を点滅させる点滅パターンを変更することを特徴とする請求項１記載の電子装置。
【請求項３】
前記動作モードが前記第１モードである場合、前記演算処理部が電子装置本体の状態監視を行い、前記電子装置本体の動作状態に応じた点滅パターンで前記発光部を点滅させるように前記駆動制御回路を制御することを特徴とする請求項２記載の電子装置。
【請求項４】
前記動作モードが前記第１モードである場合、前記演算処理部により前記発光部の点滅を制御し、前記動作モードが前記第２モードである場合、前記駆動制御回路により前記発光部の点滅を制御することを特徴とする請求項１記載の電子装置。
【請求項５】
前記演算処理部は、前記第１モードから前記第２モードへの移行に際して、前記駆動制御回路に対し、前記発光部を点滅させる点滅パターンの切り換えを指示することを特徴とする請求項１から４のいずれかに記載の電子装置。
【請求項６】
前記演算処理部は、前記動作モードが前記第２モードである場合に、電子装置本体の状態を監視する監視手段から割込信号を入力すると、前記動作モードを前記第２モードから前記第１モードに移行させ、前記電子装置本体の状態に応じた点滅パターンで前記発光部を発光させるように前記駆動制御回路に指示し、指示した後に、前記動作モードを前記第２モードに変更することを特徴とする請求項１から５のいずれかに記載の電子装置。
【請求項７】
前記演算処理部は、前記第２モードでは、動作クロックの供給を停止された停止状態であることを特徴とする請求項１から６のいずれかに記載の電子装置。
【請求項８】
印刷データの印刷を行う印刷部と、
請求項１から７のいずれか一項に記載の電子装置と、を備えることを特徴とする印刷装置。
【請求項９】
第１モードと、前記第１モードよりも電力消費量の少ない第２モードとで動作する電子装置の備える発光部の点滅制御方法であって、
前記第１モードにおいて、前記発光部の点滅を演算処理部によって制御するステップと、
動作モードが前記第１モードから前記第２モードに移行して、前記演算処理部への電力供給が抑えられた省電力状態に移行した後、前記発光部の点滅を駆動制御回路で制御するステップと、
を有することを特徴とする点滅制御方法。
【発明の詳細な説明】
【技術分野】
【０００１】
本発明は、電子装置、印刷装置及び点滅制御方法に関する。
【背景技術】
【０００２】
電子装置には、動作要求が発生することなく予め設定された待ち時間が経過すると、電子装置の一部の機能を停止させて消費電力を削減させるモードを備えているものがある（例えば、特許文献１及び２参照）。
【先行技術文献】
【特許文献】
【０００３】
【特許文献１】特開２０１１−２５５６４８号公報
【特許文献２】特開２０１３−７１２７０号公報
【発明の概要】
【発明が解決しようとする課題】
【０００４】
消費電力を削減させるモードにおいて、電子装置本体を制御する演算処理部へのクロックの供給を停止させて演算処理部を停止させ、電力消費量をさらに削減する場合がある。しかしながら、演算処理部の停止に伴い、電子装置の状態を表示するＬＥＤの点滅まで停止させてしまうと、電子装置の状態を操作者に通知することはできなかった。このため、操作者は操作パネルを操作して、消費電力を削減させるモードから復帰してからでないと、電子装置の状態の把握が難しかった。
本発明は、上述した事情に鑑みてなされたものであり、電子装置の電力削減を実現しつつ、利用者の利便性の低下を抑制することができる電子装置、印刷装置及び点滅制御方法を提供することを目的とする。
【課題を解決するための手段】
【０００５】
上記目的を達成するために、本発明の電子装置は、第１モードと、前記第１モードよりも電力消費量の少ない第２モードとで動作する電子装置であって、発光部の点滅を制御する演算処理部と、動作モードが前記第１モードから前記第２モードに移行して、前記演算処理部への電力供給が抑えられた省電力状態に移行した後、前記発光部の点滅を制御する駆動制御回路と、を備えることを特徴とする。
本発明の電子装置によれば、動作モードが第１モードから第２モードに移行して、演算処理部への電力供給が抑えられた省電力状態に移行した後に、発光部の点滅を駆動制御回路により制御する。従って、動作モードが第２モードに移行し、演算処理部への電力供給が抑えられた省電力状態に移行しても、電子装置の状態を操作者に通知することができる。このため、電子装置の電力削減を実現しつつ、利用者の利便性の低下を抑制することができる。
【０００６】
また、本発明は、上記電子装置において、前記動作モードが前記第１モードである場合、前記演算処理部が前記駆動制御回路を制御して、前記発光部を点滅させる点滅パターンを変更することを特徴とする。
本発明の電子装置によれば、動作モードが第１モードである場合に、演算処理部の制御によって発光部の点滅パターンを制御することができる。
【０００７】
また、本発明は、上記電子装置において、前記動作モードが前記第１モードである場合、前記演算処理部が前記電子装置本体の状態監視を行い、前記電子装置本体の動作状態に応じた点滅パターンで前記発光部を点滅させるように前記駆動制御回路を制御することを特徴とする。
本発明の電子装置によれば、動作モードが第１モードである場合には、電子装置本体を制御する演算処理部の制御によって発光部の点滅パターンを変更することができる。このため、電子装置本体の稼働状態に応じて発光部の点滅パターンを変更することができる。
【０００８】
また、本発明は、上記電子装置において、前記動作モードが前記第１モードである場合、前記演算処理部により前記発光部の点滅を制御し、前記動作モードが前記第２モードである場合、前記駆動制御回路により前記発光部の点滅を制御することを特徴とする。
本発明の電子装置によれば、演算処理部への電力供給が抑制されていない状態では、演算処理部が電子装置本体の制御と共に発光部の点滅を制御することができる。また、演算処理部への電力供給が抑えられた第２モードでは、駆動制御回路により発光部の点滅を制御することができる。
【０００９】
また、本発明は、上記電子装置において、前記演算処理部は、前記第１モードから前記第２モードへの移行に際して、前記駆動制御回路に対し、前記発光部を点滅させる点滅パターンの切り換えを指示することを特徴とする。
本発明の電子装置によれば、動作モードが第２モードに切り替わった場合に、発光部を点滅させる点滅パターンを切り換えることができる。従って、動作モードに応じた点滅パターンで発光部を点滅させることができる。
【００１０】
また、本発明は、上記電子装置において、前記演算処理部は、前記動作モードが前記第２モードである場合に、電子装置本体の状態を監視する監視手段から割込信号を入力すると、前記動作モードを前記第２モードから前記第１モードに移行させ、前記電子装置本体の状態に応じた点滅パターンで前記発光部を発光させるように前記駆動制御回路に指示し、指示した後に、前記動作モードを前記第２モードに変更することを特徴とする。
本発明の電子装置によれば、演算処理部への電力供給が抑えられた省電力状態であっても、電子装置本体の状態に応じた点滅パターンで発光部を点滅させることができる。
【００１１】
また、本発明は、上記電子装置において、前記演算処理部は、前記第２モードでは、動作クロックの供給を停止された停止状態であることを特徴とする。
本発明の電子装置によれば、第２モードにおける電力消費をさらに削減することができる。
【００１２】
本発明の印刷装置は、印刷データの印刷を行う印刷部と、請求項１から７のいずれか一項に記載の電子装置と、を備えることを特徴とする。
【００１３】
本発明の点滅制御方法は、第１モードと、前記第１モードよりも電力消費量の少ない第２モードとで動作する電子装置の備える発光部の点滅制御方法であって、前記第１モードにおいて、前記発光部の点滅を演算処理部によって制御するステップと、動作モードが前記第１モードから前記第２モードに移行して、前記演算処理部への電力供給が抑えられた省電力状態に移行した後、前記発光部の点滅を駆動制御回路で制御するステップと、を有することを特徴とする。
本発明の点滅制御方法によれば、動作モードが第１モードから第２モードに移行して、演算処理部への電力供給が抑えられた省電力状態に移行した後に、発光部の点滅を駆動制御回路により制御する。従って、動作モードが第２モードに移行し、演算処理部への電力供給が抑えられた省電力状態に移行しても、電子装置の状態を操作者に通知することができる。このため、電子装置の電力削減を実現しつつ、利用者の利便性の低下を抑制することができる。
【発明の効果】
【００１４】
本発明によれば、電子装置の電力削減を実現しつつ、利用者の利便性の低下を抑制することができる。
【図面の簡単な説明】
【００１５】
【図１】第１実施形態のプリンターの構成の一例を示す図である。
【図２】点滅パターン信号の一例を示す図である。
【図３】調光パターン信号の調光周期を説明するための図である。
【図４】駆動信号の生成方法について説明するための図である。
【図５】演算処理部の処理手順を示すフローチャートである。
【図６】図５に示すフローの続きを示すフローチャートである。
【図７】駆動制御回路の処理手順を示すフローチャートである。
【図８】第２実施形態のプリンターの構成の一例を示す図である。
【発明を実施するための形態】
【００１６】
［第１実施形態］
添付図面を参照しながら本発明の実施形態について説明する。図１に、プリンター（印刷装置）１の構成の一例を示す。プリンター１は、制御ユニット１００と、表示部２００と、印刷部３００と、電源制御回路４１０と、クロック発生回路５１０と、割込信号発生回路５２０とを備える。また、プリンター１は、動作モードとして、通常動作モードである第１モードと省電力モードである第２モードとを備えている。
【００１７】
電子装置としての制御ユニット１００は、演算処理部１１０と駆動制御回路１２０とを備え、ＳＯＣ（System-on-a-Chip）として１つの半導体チップに実装されている。演算処理部１１０は、ＣＰＵ１１１（Central Processing Unit）と、ＲＯＭ（Read Only Memory）１１２と、ＲＡＭ（Random Access Memory）１１３と、インターフェース部（以下、Ｉ／Ｆと略記する）１１４とを備える。ＣＰＵ１１１、ＲＯＭ１１２、ＲＡＭ１１３及びＩ／Ｆ部１１４は、システムバス１１５に接続している。ＲＯＭ１１２及びＲＡＭ１１３には、ＣＰＵ１１１の制御用ソフトウェア（ファームウェアを含む）及びデータが記憶されている。ＣＰＵ１１１、ＲＡＭ１１３等のハードウェアと、制御用ソフトウェアとの協働によって実現される処理については後述する。演算処理部１１０は、Ｉ／Ｆ部１１４を介して駆動制御回路１２０と印刷部３００とに接続している。また、Ｉ／Ｆ部１１４は、不図示のホスト装置にも接続している。ホスト装置は、プリンター１の上位装置として、プリンター１に印刷要求及び印刷データを送信する。
【００１８】
駆動制御回路１２０は、Ｉ／Ｆ部１１４に接続すると共に、表示部２００の備える発光部２１０に接続している。駆動制御回路１２０は、演算処理部１１０からの指示に従って発光部２１０の備えるＬＥＤ（Light Emitting Diode）２１１を点灯させる。
【００１９】
表示部２００は、複数のＬＥＤ２１１を備える発光部２１０を備え、印刷状態や待機状態といったプリンター１の状態情報を表示する。発光部２１０は、駆動制御回路１２０の制御により、複数のＬＥＤ２１１をプリンター１の稼働状態に応じた点滅パターンで点滅させる。
【００２０】
印刷部３００は、印刷駆動回路３０１と、印刷駆動回路３０１に接続された印刷ヘッド３０２、モーター３０３及び紙送り装置３０４とを備える。印刷駆動回路３０１は、演算処理部１１０の指示に基づき印刷ヘッド３０２、モーター３０３及び紙送り装置３０４の各部を駆動する。
【００２１】
電源制御回路４１０は、ＣＰＵ１１１と、駆動制御回路１２０とに接続している。電源制御回路４１０は、ＣＰＵ１１１の制御に従って、商用電源４００から供給される電力をＣＰＵ１１１と、駆動制御回路１２０とに供給する。なお、図示を省略するが商用電源４００から供給される電力は、ＲＯＭ１１２、ＲＡＭ１１３、印刷部３００、表示部２００等にも供給される。
【００２２】
クロック発生回路５１０は、ＣＰＵ１１１のクロックを生成して、ＣＰＵ１１１に供給する。また、クロック発生回路５１０は、ＣＰＵ１１１から停止命令があると、クロックの生成を停止して、クロックのＣＰＵ１１１への供給を停止する。
【００２３】
監視手段として機能する割込信号発生回路５２０、スイッチ押下センサー５３１、カバーオープンセンサー５３２について説明する。
割込信号発生回路５２０は、スイッチ押下センサー５３１、カバーオープンセンサー５３２等の各種センサーから出力されるセンサー信号が入力される。スイッチ押下センサー５３１は、ＣＰＵ１１１が第２モードにある場合に、不図示の操作部の操作パネルに設けられた操作ボタンが押下された際に、センサー信号を割込信号発生回路５２０に出力する。カバーオープンセンサー５３２は、ＣＰＵ１１１が第２モードにある場合に、プリンター１の本体のカバー（不図示）が開放された際に、センサー信号を割込信号発生回路５２０に出力する。なお、第２モードについては後述する。
割込信号発生回路５２０は、センサー信号が入力されると、ＣＰＵ１１１に出力する割込信号を生成し、生成した割込信号をＣＰＵ１１１の割込ポート（不図示）に出力する。
第２モードにあるＣＰＵ１１１の割込ポートに割込信号が入力されると、ＣＰＵ１１１は、ＲＯＭ１１２から所定の割込処理プログラムを読み出して割込処理を実行する。割込処理プログラムには、割込条件に応じて所定の処理が予め決められており、例えば、第２モードから第１モードに復帰のための処理、すなわち、電源の投入及びクロックの供給を受けて稼働可能な状態に復帰する。
【００２４】
ここで第１モードと第２モードについて説明する。第１モードは、通常動作モードともいい、プリンター１の装置全体への通電を維持してプリンター１を稼働可能な状態とする動作モードである。すなわち、第１モードは、印刷要求を受け付けると、直ちにプリンター１が印刷処理を実行するモードである。また、第２モードは、省電力モードともいい、プリンター１のうち消費電力の大きい構成部分への通電を停止して、プリンター１を消費電力の少ない状態にするモードである。第２モードでは、ＣＰＵ１１１への動作クロックの供給も停止され、ＣＰＵ１１１が動作を停止する。
【００２５】
次に、駆動制御回路１２０による発光部２１０の制御について説明する。駆動制御回路１２０は、駆動信号を生成して発光部２１０に出力することで、発光部２１０の点滅を制御する。駆動制御回路１２０は、点滅パターン信号と調光パターン信号とを生成し、生成した両信号の論理積（ＡＮＤ）を演算する。駆動制御回路１２０は、論理積演算によって得られた信号を駆動信号として発光部２１０に出力する。点滅パターン信号は、発光部２１０のＬＥＤ２１１を点滅させる点滅パターンを規定する信号である。また、調光パターン信号は、発光部２１０のＬＥＤ２１１を点灯させる際の輝度を調整する信号である。
【００２６】
まず、図２を参照しながら点滅パターン信号について説明する。図２に、点滅パターン信号の一例を示す。点滅パターン信号には、ＬＥＤ２１１の点滅パターンを指示する情報と、点滅パターンの点灯及び消灯時間の情報と、点滅パターンの１周期を規定する情報と、点滅パターンの繰り返し回数を示す情報とが含まれる。
点滅パターンを指示する情報は、ＬＥＤ２１１の点滅、すなわち点灯と消灯とを制御する情報である。例えば、点滅パターン信号のハイレベルに対応させてＬＥＤ２１１を点灯させ、点滅パターン信号のローレベルに対応させてＬＥＤ２１１を消灯させる。短時間の間に点灯と消灯とを繰り返すことで、ＬＥＤ２１１が点滅する。
点滅パターンの点灯及び消灯時間の情報は、点滅パターン信号の１ビットに対応させて、ＬＥＤ２１１を点灯又は消灯させる時間を規定した情報である。１ビットあたりの点灯又は消灯時間は、例えば、０［μｓｅｃ］〜６５５３５［μｓｅｃ］で設定することができる。例えば、図２に示す点滅パターン信号が発光部２１０に供給されたとする。図２に示す点滅パターン信号は、信号レベルが３ビット連続でハイレベルになった後、２ビット連続でローレベルとなっている。例えば、１ビットあたりの点灯又は消灯時間が１０［ｍｓｅｃ］であるとすると、ＬＥＤ２１１は、３０［ｍｓｅｃ］点灯した後に、２０［ｍｓｅｃ］消灯するパターンで点滅する。なお、消灯時間を０に設定することにより、所定の期間、点灯させるパターンも、点滅パターンに含まれる。
点滅パターンの１周期を規定する情報は、１周期あたりの点滅パターン信号のビット数で規定される。例えば、１周期あたりの点滅パターン信号のビット数が２０ビットで、１ビットあたりの点灯時間と消灯時間とが１０［ｍｓｅｃ］である場合、ＬＥＤ２１１の点滅パターン周期は２００［ｍｓｅｃ］となる。
点滅パターンの繰り返し回数を示す情報は、駆動制御回路１２０から指示された点滅パターンを繰り返す回数の情報である。例えば、繰り返し回数が３回であれば、発光部２１０は、同一の点滅パターンによる点滅を３回繰り返す。
【００２７】
次に、図３及び図４を参照しながら調光パターン信号について説明する。図３に、調光パターン信号の一例を示す。調光パターン信号には、調光周期を規定する情報と、調光の有効と無効とを設定する情報と、調光レベルを規定する情報とが含まれる。調光周期を規定する情報は、調光パターン信号の１周期で規定される。すなわち、調光パターン信号がハイレベルになってからローレベルとなり、さらにハイレベルになるまでの時間で調光周期が規定される。調光周期は、０［μｓｅｃ］〜６５５３５［μｓｅｃ］で規定することができる。
調光の有効と無効とを設定する情報は、ＬＥＤ２１１を点灯させる際に、ＬＥＤ２１１の輝度の調整を行うか否かを設定する信号である。また、調光レベルを規定する情報は、ＬＥＤ２１１を点灯させる際の輝度を規定する情報である。調光パターン信号のオンデューティが１００％、すなわち、調光パターン信号の信号レベルがハイレベルのまま、この信号レベルを継続していれば、調光は無効となり、ＬＥＤ２１１は１００％の輝度で点灯する。また、調光パターン信号のオンデューティが０％、すなわち、調光パターン信号の信号レベルがローレベルのまま、この信号レベルを継続していれば、ＬＥＤ２１１は点灯しない。また、調光パターン信号のオンデューティによってＬＥＤ２１１の調光レベルが規定される。図３には、調光パターン信号のデューティ比が５０％の場合を示す。デューティ比が５０％の調光パターン信号を発光部２１０に供給することで、ＬＥＤ２１１の点灯時間が５０％に削減され、ＬＥＤ２１１の輝度も５０％に削減される。
図４（Ａ）に、駆動制御回路１２０によって生成された点滅パターン信号の一例を示し、図４（Ｂ）に、駆動制御回路１２０によって生成された調光パターン信号の一例を示す。また、図４（Ｃ）に、駆動制御回路１２０が発光部２１０に出力する駆動信号の一例を示す。図４（Ｃ）に示す駆動信号は、図４（Ａ）に示す点滅パターン信号と、図４（Ｂ）に示す調光パターン信号とを論理積演算した信号となる。
【００２８】
次に、発光部２１０の備えるＬＥＤ２１１の点滅制御について説明する。
プリンター１の動作モードが第１モードである場合、演算処理部１１０が駆動制御回路１２０を制御して、発光部２１０の備えるＬＥＤ２１１の点滅パターンを変更する。すなわち、演算処理部１１０がプリンター１本体（例えば、印刷部３００）の状態監視を行い、プリンター１本体の動作状態に応じた点滅パターンでＬＥＤ２１１を点滅させるように駆動制御回路１２０を制御する。
【００２９】
また、プリンター１の動作モードが、第１モードから第２モードに移行して、演算処理部１１０への電力供給が抑えられた状態では、駆動制御回路１２０が発光部２１０の点滅を制御する。演算処理部１１０は、第１モードから第２モードへの移行の際に、ＬＥＤ２１１を点滅させる点滅パターンの指示と、点滅パターンの繰り返し回数の指示とを駆動制御回路１２０に通知する。駆動制御回路１２０は、演算処理部１１０から通知された点滅パターンによるＬＥＤ２１１の点滅を、通知された繰り返し回数繰り返す。駆動制御回路１２０は、演算処理部１１０から通知された点滅パターンで、通知された繰り返し回数ＬＥＤ２１１を点滅させ、演算処理部１１０が停止状態にある場合には、ＬＥＤ２１１の点滅を終了させる。また、駆動制御回路１２０は、演算処理部１１０が動作している状態にある場合には、通知された点滅パターンによる点滅を終了した旨を演算処理部１１０に通知する。
【００３０】
さらに演算処理部１１０は、動作モードが第２モードである場合において、スイッチ押下センサー５３１やカバーオープンセンサー５３２からセンサー信号が出力されると、動作モードを第２モードから第１モードに移行させる。センサー信号が入力された割込信号発生回路５２０は、ＣＰＵ１１１に出力する割込信号を生成して、ＣＰＵ１１１の割込ポートに出力する。演算処理部１１０は、割込信号が入力されると、印刷部３００の状態情報を取得する。そして、演算処理部１１０は、取得した印刷部３００の状態情報に応じた点滅パターンを駆動制御回路１２０に通知する。点滅パターンを駆動制御回路１２０に通知し、他の処理要求を受け付けていない場合、演算処理部１１０は、再度、第２モードに移行する。
【００３１】
次に、図５に示すフローチャートを参照しながら演算処理部１１０の処理手順を説明する。
第１モードで動作中のプリンター１の演算処理部１１０は、まず、処理要求を受け付けたか否かを判定する（ステップＳ１）。例えば、演算処理部１１０は、ホスト装置から印刷データと印刷命令とを受信したか否かを判定する。処理要求を受け付けた場合（ステップＳ１／ＹＥＳ）、演算処理部１１０は、受け付けた処理要求に応じた処理を印刷部３００に指示する（ステップＳ２）。例えば、演算処理部１１０は、受信した印刷データを２値形式のイメージデータに変換して、ＲＡＭ１１３に展開する。演算処理部１１０は、ＲＡＭ１１３に展開したイメージデータを印刷部３００に順次出力して、印刷部３００に印刷を実行させる。次に、演算処理部１１０は、印刷部３００で印刷処理を実行中である旨を表示する点滅パーンを駆動制御回路１２０に通知して、駆動制御回路１２０に発光部２１０のＬＥＤ２１１を点滅させる（ステップＳ３）。
【００３２】
次に、演算処理部１１０は、印刷部３００を監視して、印刷部３００の状態に変更があるか否かを判定する（ステップＳ４）。印刷部３００の状態に変更がある場合（ステップＳ４／ＹＥＳ）、演算処理部１１０は、変更された状態に応じた点滅パターンを駆動制御回路１２０に通知する（ステップＳ５）。例えば、印刷処理の実行中に、印刷済みの用紙が用紙の排出口で詰まるジャムが発生した場合、演算処理部１１０は、ジャムが発生している旨を表示する点滅パターンを駆動制御回路１２０に通知する。点滅パターンの変更を指示した演算処理部１１０は、ステップＳ４に戻り、印刷部３００の状態に変更があるか否かを再度監視する（ステップＳ４）。また、印刷部３００の状態に変更がない場合（ステップＳ４／ＮＯ）、演算処理部１１０は、印刷部３００の印刷処理が終了したか否かを判定する（ステップＳ６）。印刷部３００の印刷処理が終了した場合（ステップＳ６／ＹＥＳ）、演算処理部１１０は、処理を待機する待機状態を表す点滅パターンを駆動制御回路１２０に通知し（ステップＳ７）、ステップＳ１の処理に移行する。また、印刷部３００の印刷処理が終了していない場合（ステップＳ６／ＮＯ）、演算処理部１１０は、ステップＳ４に戻り印刷部３００を監視して印刷部３００の状態に変更があるか否かを判定する（ステップＳ４）。
【００３３】
また、ステップＳ１において、処理要求を受け付けていない場合（ステップＳ１／ＮＯ）、演算処理部１１０は、前回、処理要求を受信してから所定時間を経過したか否かを判定する（ステップＳ８）。前回の処理要求の受信から所定時間を経過していない場合（ステップＳ８／ＮＯ）、演算処理部１１０は、ステップＳ１の判定に戻る。また、前回の処理要求の受信から所定時間を経過した場合（ステップＳ８／ＹＥＳ）、演算処理部１１０は、第２モードを表す点滅パターンを駆動制御回路１２０に通知する（ステップＳ９）。第２モードの点滅パターンを駆動制御回路１２０に通知すると、演算処理部１１０は、クロック発生回路５１０にクロックの供給を停止するように指示し、クロックの停止により動作を停止して第２モードに移行する（ステップＳ１０）。
【００３４】
次に、図６に示すフローチャートを参照しながら、プリンター１の動作モードが第１モードから第２モードに移行した後の演算処理部１１０の処理手順を説明する。
プリンター１の動作モードが第２モードにある場合に、操作パネル（不図示）に設けられた操作ボタンが押下されると、スイッチ押下センサー５３１は、割込信号発生回路５２０にセンサー信号を出力する。また、プリンター１の動作モードが第２モードにある場合に、プリンター１の本体カバー（不図示）が開放されると、カバーオープンセンサー５３２は、センサー信号を割込信号発生回路５２０に出力する。
【００３５】
演算処理部１１０は、割込ポートに割込信号を入力すると（ステップＳ１１／ＹＥＳ）ＲＯＭ１１２から所定の割込処理プログラムを読み出して、第２モードから第１モードに復帰するための処理を実行する。すなわち、演算処理部１１０は、クロック発生回路５１０にクロックの生成を開始させ、クロック発生回路５１０からクロックの供給を受ける。また、演算処理部１１０は、電源制御回路４１０に電源の供給を開始させる。
プリンター１の動作モードが第２モードから第１モードに移行すると、演算処理部１１０は、印刷部３００の状態情報を取得する（ステップＳ１２）。そして、演算処理部１１０は、取得した印刷部３００の状態情報に応じた点滅パターンを駆動制御回路１２０に通知する（ステップＳ１３）。例えば、カバーオープンセンサー５３２が割込信号発生回路５２０にセンサー信号を出力している場合、プリンター１の本体カバーが開放されている。この場合、演算処理部１１０は、プリンター１の本体カバーが開放されている旨を表示する点滅パターンを駆動制御回路１２０に通知する。
次に、演算処理部１１０は、処理要求を受け付けたか否かを判定する（ステップＳ１４）。例えば、演算処理部１１０は、ホスト装置から印刷データと印刷命令とを受信したか否かを判定する。処理要求を受け付けた場合（ステップＳ１４／ＹＥＳ）、演算処理部１１０は、ステップＳ２の処理に移行する。また、処理要求を受け付けていない場合（ステップＳ１４／ＮＯ）、演算処理部１１０は、第１モードに移行してからの経過時間が所定時間を経過したか否かを判定する（ステップＳ１５）。所定時間を経過した場合（ステップＳ１５／ＹＥＳ）、演算処理部１１０は、クロック発生回路５１０にクロックの供給を停止するように指示し、クロックの停止により動作を停止して第２モードに移行する（ステップＳ１６）。また、所定時間を経過していない場合（ステップＳ１５／ＮＯ）、演算処理部１１０は、ステップＳ１４の処理に移行する。
【００３６】
次に、図７に示すフローチャートを参照しながら駆動制御回路１２０の処理手順を説明する。
駆動制御回路１２０は、まず、ＬＥＤ２１１を点滅させる点滅パターンの通知を演算処理部１１０から入力されたか否かを判定する（ステップＳ２１）。点滅パターンの通知が入力された場合（ステップＳ２１／ＹＥＳ）、駆動制御回路１２０は、入力された通知に従ってＬＥＤ２１１の点滅を制御する（ステップＳ２２）。次に、駆動制御回路１２０は、演算処理部１１０から通知された点滅パターンで、通知された繰り返し回数、ＬＥＤ２１１を点滅させたか否かを判定する（ステップＳ２３）。点滅パターンでの点滅を演算処理部１１０から通知された繰り返し回数、繰り返していないと判定すると（ステップＳ２３／ＮＯ）、駆動制御回路１２０は、ステップＳ２２からの処理を繰り返す。また、点滅パターンでの点滅を、演算処理部１１０から通知された繰り返し回数繰り返したと判定すると（ステップＳ２３／ＹＥＳ）、駆動制御回路１２０は、プリンター１の動作モードが第２モードであるか否かを判定する（ステップＳ２４）。例えば、駆動制御回路１２０は、通知された点滅パターンでの点滅が終了した旨を演算処理部１１０に通知して、演算処理部１１０からの応答を待機する。演算処理部１１０からの応答がない場合には、駆動制御回路１２０は、プリンター１の動作モードが第２モードであると判定する。駆動制御回路１２０は、動作モードが第２モードであると判定すると（ステップＳ２４／ＹＥＳ）、ＬＥＤ２１１の点滅を終了させ、処理を終了する（ステップＳ２６）。また、駆動制御回路１２０は、動作モードが第２モードではなく第１モードであると判定した（ステップＳ２４／ＮＯ）、ＣＰＵ１１１は稼働状態にあるので、指示された点滅パターンでの点滅が終了した旨を演算処理部１１０に通知する（ステップＳ２５）。
【００３７】
以上のように本実施形態は、プリンター１の動作モードが第１モードから第２モードに移行して、演算処理部１１０への電力供給が抑えられた省電力状態に移行した後に、発光部２１０の点滅を駆動制御回路１２０により制御する。従って、動作モードが第２モードに移行し、演算処理部１１０への電力供給が抑えられた省電力状態に移行しても、プリンター１の状態を操作者に通知することができる。このため、プリンター１の電力削減を実現しつつ、利用者の利便性の低下を抑制することができる。
【００３８】
［第２実施形態］
本発明の第２実施形態について説明する。なお、上述した第１実施形態と共通する部分については同一の符号を付し、その説明を省略する。本実施形態のプリンター１の構成の一例を図８に示す。本実施形態は、第１モードでは、演算処理部１１０が、駆動制御回路１２０を介さずに発光部２１０の点滅を制御し、第２モードでは、駆動制御回路１２０が発光部２１０の点滅を制御する。このため、本実施形態では、図８に示すように制御ユニット１５０内にドライバー回路１３０を新たに設けている。
【００３９】
ドライバー回路１３０は、演算処理部１１０のＣＰＵ１１１と、電源制御回路４１０と、発光部２１０に接続している。ドライバー回路１３０は、ＣＰＵ１１１の出力する、ＬＥＤ２１１の制御信号を入力する。また、ドライバー回路１３０は、電源制御回路４１０から電力供給を受ける。ドライバー回路１３０は、ＣＰＵ１１１から入力した制御信号に応じたＬＥＤ２１１の駆動電流を発光部２１０の各ＬＥＤ２１１に供給する。
【００４０】
プリンター１の動作モードが第１モードである場合、演算処理部１１０は、ドライバー回路１３０に制御信号を出力して、発光部２１０の点滅を制御する。また、演算処理部１１０は、動作モードが第１モードから第２モードに移行する際に、駆動制御回路１２０に対してＬＥＤ２１１を点滅させる点滅パターンを通知する。駆動制御回路１２０は、動作モードが第２モードとなり、演算処理部１１０が停止した状態において、発光部２１０のＬＥＤ２１１の点滅を制御する。すなわち、駆動制御回路１２０は、演算処理部１１０から通知された点滅パターンの点滅を、演算処理部１１０から通知された回数繰り返す。
【００４１】
以上のように本実施形態は、演算処理部１１０への電力供給が抑制されていない第１モードでは、演算処理部１１０がプリンター本体の制御と共に発光部２１０の点滅を制御する。また、演算処理部１１０への電力供給が抑えられた第２モードでは、駆動制御回路１２０により発光部２１０の点滅を制御する。従って、動作モードが第２モードに移行し、演算処理部１１０への電力供給が抑えられた省電力状態に移行しても、プリンター１の状態を操作者に通知することができる。このため、プリンター１の電力削減を実現しつつ、利用者の利便性の低下を抑制することができる。
【００４２】
以上説明したように、本発明に係る制御ユニット１００（１５０）は、第１モードと、第１モードよりも電力消費量の少ない第２モードとで動作し、演算処理部１１０と駆動制御回路１２０とを備えている。演算処理部１１０は、発光部２１０の点滅を制御する。駆動制御回路１２０は、動作モードが第１モードから第２モードに移行して、演算処理部１１０への電力供給が抑えられた省電力状態に移行した後、発光部２１０の点滅を制御する。上記構成を備える制御ユニット１００（１５０）は、動作モードが第１モードから第２モードに移行して、演算処理部１１０への電力供給が抑えられた省電力状態に移行した後に、発光部２１０の点滅を駆動制御回路１２０により制御する。従って、動作モードが第２モードに移行し、演算処理部１１０への電力供給が抑えられた省電力状態に移行しても、プリンター１の状態を操作者に通知することができる。このため、制御ユニット１００（１５０）の電力削減を実現しつつ、利用者の利便性の低下を抑制することができる。
【００４３】
また、動作モードが第１モードである場合、演算処理部１１０が駆動制御回路１２０を制御して、発光部２１０を点滅させる点滅パターンを変更する。
従って、動作モードが第１モードである場合に、演算処理部１１０の制御によって発光部２１０の点滅パターンを制御することができる。
【００４４】
また、動作モードが第１モードである場合には、演算処理部１１０がプリンター１の状態監視を行い、プリンター１の動作状態に応じた点滅パターンで発光部２１０を点滅させるように駆動制御回路１２０を制御する。
従って、動作モードが第１モードである場合には、印刷部３００を制御する演算処理部１１０の制御によって発光部２１０の点滅パターンを変更することができる。このため、印刷部３００の状態に応じて発光部２１０の点滅パターンを変更することができる。
【００４５】
また、動作モードが第１モードである場合には、演算処理部１１０により発光部２１０の点滅を制御し、動作モードが第２モードである場合には、駆動制御回路１２０により発光部２１０の点滅を制御する。
従って、演算処理部１１０への電力供給が抑制されていない状態では、演算処理部１１０が印刷部３００の制御と共に発光部２１０の点滅を制御することができる。また、演算処理部１１０への電力供給が抑えられた第２モードでは、駆動制御回路１２０により発光部２１０の点滅を制御することができる。
【００４６】
また、演算処理部１１０は、第１モードから第２モードへの移行に際して、駆動制御回路１２０に対し、発光部２１０を点滅させる点滅パターンの切り換えを指示する。
従って、動作モードが第２モードに切り替わった場合に、発光部２１０を点滅させる点滅パターンを切り換えることができる。従って、動作モードに応じた点滅パターンで発光部２１０を点滅させることができる。
【００４７】
また、動作モードが第２モードである場合に、スイッチ押下センサー５３１又はカバーオープンセンサー５３２がプリンター１の状態を監視して、センサー信号を割込信号発生回路５２０に出力する。割込信号発生回路５２０は、センサー信号を入力すると割込信号を演算処理部１１０に出力する。演算処理部１１０は、割込信号を入力すると、動作モードを第２モードから第１モードに移行させ、プリンター１の状態に応じた点滅パターンで発光部２１０を発光させるように駆動制御回路１２０に指示する。また、演算処理部１１０は、指示した後に、動作モードを第２モードに変更する。
従って、演算処理部１１０への電力供給が抑えられた省電力状態であっても、プリンター１の状態に応じた点滅パターンで発光部２１０を点滅させることができる。
【００４８】
また、演算処理部１１０は、第２モードでは、動作クロックの供給を停止された停止状態である。従って、第２モードにおける電力消費をさらに削減することができる。
【００４９】
本発明に係るプリンター１は、制御ユニット１００（１５０）と、印刷部３００とを備えている。制御ユニット１００（１５０）は、演算処理部１１０と駆動制御回路１２０とを備える。演算処理部１１０は、印刷部３００を制御する。駆動制御回路１２０は、動作モードが第１モードから第２モードに移行して、演算処理部１１０への電力供給が抑えられた省電力状態に移行した後、発光部２１０の点滅を制御する。上記構成を備える制御ユニット１００（１５０）は、動作モードが第１モードから第２モードに移行して、演算処理部１１０への電力供給が抑えられた省電力状態に移行した後に、発光部２１０の点滅を駆動制御回路１２０により制御する。従って、動作モードが第２モードに移行し、演算処理部１１０への電力供給が抑えられた省電力状態に移行しても、プリンター１の状態を操作者に通知することができる。このため、制御ユニット１００（１５０）の電力削減を実現しつつ、利用者の利便性の低下を抑制することができる。
【００５０】
上述した実施形態は本発明の好適な実施の例である。ただし、これに限定されるものではなく、本発明の要旨を逸脱しない範囲内において種々の変更実施が可能である。
【符号の説明】
【００５１】
１…プリンター、１００…制御ユニット、１１０…演算処理部、１２０…駆動制御回路、１３０…ドライバー回路、２１０…発光部、２１１…ＬＥＤ、３００…印刷部、５２０…割込信号発生回路（監視手段）、５３１…スイッチ押下センサー（監視手段）、５３２…カバーオープンセンサー（監視手段）。
【図１】
2015080928.tif 000003
【図２】
2015080928.tif 000004
【図３】
2015080928.tif 000005
【図４】
2015080928.tif 000006
【図５】
2015080928.tif 000007
【図６】
2015080928.tif 000008
【図７】
2015080928.tif 000009
【図８】
2015080928.tif 000010